(57)【要約】【課題】  眼鏡をかけて飛び跳ねても眼鏡が顔面に対して上下にほとんど動かない鼻当てパッドを提供する。【解決手段】  眼鏡枠の一方のレンズ枠と他方のレンズ枠とを連結するブリッジ部材に取り付けられる鼻当てパッドにおいて、前記鼻当てパッドは、下側鼻当て部、上側鼻当て部、並びに下側鼻当て部および上側鼻当て部を取り付けるための取付け部とからなる。前記下側鼻当て部は、２つの枝からなり、前記２つの枝は前記取付け部から離れるに従って広がる傾斜面を有する。前記上側鼻当て部は、２つの枝からなり、前記２つの枝は前記取付け部から離れるに従って広がる傾斜面を有する。【選択図】  図１
0003116469.tif 000002
【実用新案登録請求の範囲】
【請求項１】
眼鏡枠の一方のレンズ枠と他方のレンズ枠とを連結するブリッジ部材に取り付けられる鼻当てパッドにおいて、
前記鼻当てパッドは、下側鼻当て部、上側鼻当て部、並びに下側鼻当て部および上側鼻当て部を取り付けるための取付け部とからなり、
前記下側鼻当て部は、２つの枝からなり、前記２つの枝は前記取付け部から離れるに従って広がる傾斜面を有し、
前記上側鼻当て部は、２つの枝からなり、前記２つの枝は前記取付け部から離れるに従って広がる傾斜面を有することを特徴とする鼻当てパッド。
【請求項２】
請求項１において、
前記下側鼻当て部と前記上側鼻当て部は、形状記憶合金等の金属または熱可塑性樹脂もしくは形状記憶樹脂等の樹脂で形成され、前記下側鼻当て部は熱または応力によって鼻梁部の傾斜に適合するように調整され、前記上側鼻当て部は熱または応力によって鼻梁の根元部分に相当する最も低い部分よりも上方に位置する眉間下方部（以下、眉間下方部という）に適合するように調整されることを特徴とする鼻当てパッド。
【請求項３】
請求項２において、
前記上側鼻当て部は、前記下側鼻当て部よりも短い長さを有し、前記眉間下方部に当接し、
前記上側鼻当て部の前記傾斜面は、前記下側鼻当て部の傾斜面に比べて枝の広がり方の割合が大きいことを特徴とする鼻当てパッド。
【請求項４】
請求項１ないし請求項３のいずれかの鼻当てパッドが前記ブリッジ部材に予め取り付けられていることを特徴とする眼鏡枠。
【請求項５】
請求項１ないし請求項３のいずれかの鼻当てパッドが前記ブリッジ部材に着脱可能に取り付けられたことを特徴とする眼鏡枠。
【請求項６】
請求項５において、
前記鼻当てパッドは上側鼻当て部のみを有することを特徴とする眼鏡枠。
【考案の詳細な説明】
【技術分野】
【０００１】
本考案は、眼鏡枠のブリッジに着脱可能に取り付けられる鼻当てパッド、特に上下の振動に対して動き難い鼻当てパッドおよびそれを備える眼鏡枠に関する。
【背景技術】
【０００２】
眼鏡を顔面に安定に支持する鼻当てパッドは眼鏡の大切な部材であり、眼鏡を装着した時の装着感が良好で、眼鏡を安定に顔面に支持する構造の鼻当てパッドに関する発明、考案は既に多数提案されている（例えば、特許文献１参照）。また、運動用に適した眼鏡も提案されている（例えば、特許文献２参照）。この特許文献２はテニスなどの球技においてボールが当たっても衝撃を緩和する運動用眼鏡に関する発明を開示するものであり、ブリッジおよびレンズ枠の一部に額および鼻に当たる鼻当てパッドを着脱可能に取り付けたものである。
【特許文献１】実開平７−２９５２０号公報
【特許文献２】特開平６−１６０７８０号公報
【考案の開示】
【考案が解決しようとする課題】
【０００３】
前掲の特許文献１に限らず、通常の眼鏡における鼻当てパッドは鼻の形状に沿って広がる傾斜面を有するものであり、鼻当てパッドを鼻に当接させることによって眼鏡を安定に顔面に保持するものである。日常の生活においては眼鏡をかけた状態で走ったり、運動などを行うことがある。この場合には、身体が上下に飛び跳ねることが多く、当然に眼鏡も一緒に上下に振動するので、例えば球技においてはボールなどの動きが正確に見難くなるという不都合が生じる。また、前掲の特許文献２に記載されているものはテニスなどの球技を行うときにボールが眼鏡に当たったとしてもその衝撃を緩和するために額および鼻に当たる鼻当てパッドである。このような鼻当てパッドは、一般的な鼻当てパッドを有する眼鏡に比べて、身体が上下に飛び跳ねるときに眼鏡も一緒に上下に振動する動きは小さくなるものの、特に、運動などを行っているときには額が汗で濡れていることが多く、このような場合には身体の上下の飛び跳ねと一緒に眼鏡も上下に振動し、前述のような問題が起こる。
【課題を解決するための手段】
【０００４】
前述のような問題を解決するため、第１の考案は、眼鏡枠の一方のレンズ枠と他方のレンズ枠とを連結するブリッジ部材に取り付けられる鼻当てパッドにおいて、前記鼻当てパッドは、下側鼻当て部、上側鼻当て部、並びに下側鼻当て部および上側鼻当て部を取り付けるための取付け部とからなり、前記下側鼻当て部は、２つの枝からなり、前記２つの枝は前記取付け部から離れるに従って広がる傾斜面を有し、前記上側鼻当て部は、２つの枝からなり、前記２つの枝は前記取付け部から離れるに従って広がる傾斜面を有することを特徴とする。
【０００５】
前述のような問題を解決するため、第２の考案は、前記第１の考案において、前記下側鼻当て部と前記上側鼻当て部は、形状記憶合金等の金属または熱可塑性樹脂もしくは形状記憶樹脂等の樹脂で形成され、前記下側鼻当て部は熱または応力によって鼻梁部の傾斜に適合するように調整され、前記上側鼻当て部は熱または応力によって眉間下方部に適合するように調整されることを特徴とする。
【０００６】
第３の考案は、前記第２の考案において、前記上側鼻当て部は、前記下側鼻当て部よりも短い長さを有し、前記眉間下方部に当接し、前記上側鼻当て部の前記傾斜面は、前記下側鼻当て部の傾斜面に比べて枝の広がり方の割合が大きいことを特徴とする。
【０００７】
第４の考案は、前記第１ないし第３の考案のいずれかの鼻当てパッドが前記ブリッジ部材に予め固定されている、または取り付けされていることを特徴とする。
【０００８】
第５の考案は、前記第１ないし第３の考案のいずれかの鼻当てパッドが前記ブリッジ部材に着脱可能に取り付けられたことを特徴とする。
【０００９】
第６の考案は、前記第５の考案において、前記鼻当てパッドは上側鼻当て部のみを有することを特徴とする。
【考案の効果】
【００１０】
前記第１の考案によれば、眼鏡をかけて上下に飛び跳ねても眼鏡が顔面に対して上下にほとんど動くことのない鼻当てパッドおよび眼鏡枠を提供することができ、激しい運動または上体が激しく動く作業などに好適な眼鏡を提供することができる。
【００１１】
前記第２の考案によれば、鼻当てパッドだけを変形させて顔面形状に最適な形状に変形させることができるので、眼鏡をかけて上下に飛び跳ねても眼鏡が顔面に対して上下に動くことのない鼻当てパッドおよび眼鏡枠を提供することができ、激しい運動または作業などを行うのにより適した眼鏡を提供することができる。
【００１２】
前記第３の考案によれば、鼻当てパッドがより一層顔面にフィットすることにより、眼鏡をかけて上下に飛び跳ねても眼鏡が顔面に対して上下に動くことのない鼻当てパッドおよび眼鏡枠を提供することができる。
【００１３】
前記第４の考案によれば、後から鼻当てパッドを眼鏡枠のブリッジに取り付ける必要が無く、眼鏡を買ってすぐに鼻当てパッドの形状を顔面にフィットさせることができる。
【００１４】
前記第５の考案によれば、既存の眼鏡に上側鼻当てパッドを取り付けることによって、前記第１の考案と同様な効果を奏するとともに、非常に経済性に優れている。
【００１５】
前記第６の考案によれば、既存の眼鏡に上側鼻当て部のみを有する鼻当てパッドを取り付けることによって、前記第２の考案と同様な効果を奏するとともに、非常に経済性に優れている。
【考案を実施するための最良の形態】
【００１６】
[実施形態１]
図１および図２によって、本考案の実施形態１に係る鼻当てパッドについて説明する。図１（Ａ）は眼鏡枠に本考案に係る鼻当てパッドを取り付ける前の状態を示す図、図１（Ｂ）は本考案に係る鼻当てパッドを眼鏡枠に取り付ける取り付け方の一例を示す一部断面図である。図２は本考案に係る鼻当てパッドを取り付けてなる眼鏡を顔面に装着したときの顔面と鼻当てパッドとの関係を説明するための図である。この実施形態１における眼鏡枠１は一般の眼鏡枠と違って鼻当てパッドが予めブリッジ５に固定されていない。
【００１７】
この実施形態１の眼鏡枠１は、予め鼻当てパッド２がブリッジ５に固定されていない点、左右のレンズ枠３、４を連結するブリッジ５に鼻当てパッド２を取り付けるための取付け用ネジ孔６を備えている点を除いて一般の眼鏡枠と同様である。本考案の実施形態１における鼻当てパッド２は、ポリウレタン系形状記憶ポリマーのような形状記憶樹脂、あるいは体温よりも高い温度で塑性変形し、体温程度の温度では硬化する熱可塑性樹脂、あるいはニッケルチタン（ＮｉＴｉ）合金などの形状記憶合金によって一体的に成型されたものである。前記熱可塑性樹脂のような熱可塑性物質は、予め鼻パッド２を温風器または温湯などで軟化到達温度例えば60℃まで加熱し、軟化させた鼻当てパッド２が鼻梁の形状に合うよう指で調整し、冷ました鼻当てパッド２を鼻梁に当てて具合を見る。これを幾度か行うことでメガネが安定した位置に固定され、苦痛の無い最適な状態が得られる。
【００１８】
鼻当てパッド２は大別して中央に位置する取付け部２１、取付け部２１の下方側に位置する下側鼻当て部２２Ａ、２２Ｂおよび取付け部２１の上方側に位置する上側鼻当て部２３Ａ、２３Ｂからなる。ここで、下側鼻当て部２２Ａ、２２Ｂは通常の鼻当てパッドと同様に鼻梁部Ａの最も低い部分ａから最も高い部分ｂの途中に当接して眼鏡がずり落ちるのを防ぐ働きを行い、また、上側鼻当て部２３Ａ、２３Ｂは顔面における鼻梁の根元部分に相当する最も低い部分ａよりも上方に位置する眉間下方部Ｂ（以下、眉間下方部Ｂという）に当接して、眼鏡が上側に動くのを防ぐ働きをする（図２）。
【００１９】
取付け部２１の中心部には取付け用孔２４が穿孔されており、取付け用孔２４はネジ７を挿通させるか、またはネジ７と螺合する雌ネジになっている。下側鼻当て部２２Ａ、２２Ｂおよび上側鼻当て部２３Ａ、２３Ｂは３次元の方向に変形し易いしゃもじ形の形状をしており、取付け部２１近傍の根元部分では比較的幅が狭く、厚みは通常の鼻当てパッド程度であって、塑性変形し易い温度以上では外力によって容易に変形する形状になっている。しゃもじ形の下側鼻当て部２２Ａ、２２Ｂおよび上側鼻当て部２３Ａ、２３Ｂの根元部分は板状でも良いが、丸棒状でもよい。なお、取付け用ネジ孔６は貫通していない方が美観上および安全上好ましいので、ブリッジ５の中央部５Ａを肉厚として、取付け用ネジ孔６が貫通しないようにしているが、必ずしも肉厚にする必要はない（図２（Ｂ））。
【００２０】
先ず、鼻当てパッド２を眼鏡枠１に取り付ける前に、鼻当てパッド２を適当な温度、例えば温風器または温湯で６０℃程度に加熱して変形する温度まで上昇させ、下側鼻当て部２２Ａ、２２Ｂおよび上側鼻当て部２３Ａ、２３Ｂを鼻梁部Ａに押し当てる前に適当に高さ、広がり具合などを指で調整する。これを幾度か行うことでメガネが安定した位置に固定され、苦痛の無い最適な状態が得られる。
【００２１】
鼻当てパッド２の調整を経た後、図１に示すように取付け用孔２４を通してネジ７をブリッジ５の取付け用ネジ孔６に螺合させて、鼻当てパッド２を眼鏡枠１のブリッジ５に取り付ける。
【００２２】
上側鼻当て部２３Ａ、２３Ｂは眉間下方部Ｂの形状に適合した形状になり、上側鼻当て部２３Ａ、２３Ｂの少なくとも先端部分は下側鼻当て部２２Ａ、２２Ｂに比べて傾斜面の拡がりの割合が大きくなっている。これによって、上側鼻当て部２３Ａ、２３Ｂは眉間下方部Ｂにフィットすることになる。
【００２３】
実施形態１の鼻当てパッド２にあっては、従来の鼻当てパッドが備えていなかった上側鼻当て部２３Ａ、２３Ｂを有し、その上側鼻当て部２３Ａ、２３Ｂが眉間下方部Ｂに当接し、フィットするので、眼鏡の利用者が飛び跳ねても下側鼻当て部２２Ａ、２２Ｂと上側鼻当て部２３Ａ、２３Ｂとが下方向、上方向の双方に対して眼鏡が動くのを防ぎ、したがって、激しい運動などを行っても眼鏡が顔面上でほとんど上下左右に動くことが無い。
【００２４】
更にまた、鼻当てパッド２が形状記憶樹脂および形状記憶合金のような形状記憶物質、または熱可塑性樹脂のような熱可塑性物質で形成した場合、下側鼻当て部２２Ａ、２２Ｂと上側鼻当て部２３Ａ、２３Ｂとの高さ、傾斜面の方向、傾斜度、湾曲の度合いなどを３次元方向に変えることができるので、個々の利用者の顔面形状に最適に適合させることができ、このことが激しい運動などを行っても、眼鏡を顔面により一層安定に保持でき、また装着感を向上できる。
【００２５】
次に、図１に示した構造の鼻当てパッドにおいて、下側鼻当て部２２Ａ、２２Ｂと上側鼻当て部２３Ａ、２３Ｂとが取付け部２１とは別体で造られている場合における下側鼻当て部２２Ａ、２２Ｂと上側鼻当て部２３Ａ、２３Ｂの取付け部２１への固定方法の一例について説明する。図３に示すように、鼻当てパッド２の下側鼻当て部２２Ａと上側鼻当て部２３Ａとが一体的成型で造られ、また、下側鼻当て部２２Ｂと上側鼻当て部２３Ｂとが一体的成型で造られている場合には、取付け部２１は合成樹脂材料または金属材料の別々の部材２１Ａ、２１Ｂから作ることができる。
【００２６】
部材２１Ａ、２１Ｂは左右の下側鼻当て部２２Ａと上側鼻当て部２３Ａ、下側鼻当て部２２Ｂと上側鼻当て部２３Ｂとの形状に適合する二つの溝ｄ１とｄ２、ｄ３とｄ４を有し、下側鼻当て部２２Ａと上側鼻当て部２３Ａを溝ｄ１とｄ３に入れ、下側鼻当て部２２Ｂと上側鼻当て部２３Ｂを溝ｄ２とｄ４に入れて二つの部材２１Ａと２１Ｂとを接着させる。この際に、溝ｄ１〜ｄ４の壁面、あるいは溝ｄ１〜ｄ４に入る部分の下側鼻当て部２２Ａと上側鼻当て部２３Ａ、下側鼻当て部２２Ｂと上側鼻当て部２３Ｂとにも接着剤を塗布しておくことによって、これら下側鼻当て部と上側鼻当て部とを取付け部２１に安定に堅固に固定するようにしてもよい。
【００２７】
別の具体例としては、図４に示すように、下側鼻当て部２２Ａ、２２Ｂと上側鼻当て部２３Ａ、２３Ｂとがそれぞれ分離している場合には、それぞれが図示しない接着剤によって取付け部２１の下面、上面にそれぞれ接着される。下側鼻当て部２２Ａ、２２Ｂと上側鼻当て部２３Ａ、２３Ｂとを取付け部２１に固定する方法はこれらに限ることなく、カシメ、熱圧着、ネジ止めなどによる他の方法でも良い。また、鼻当てパッド２の形状については、細かい点を変形するものは種々考えられるが、本考案に係る鼻当てパッドはこのような変形例を含むものである。
【００２８】
次に、図５によって鼻当てパッド２を眼鏡枠１のブリッジ５に取り付ける構造の別の一例について説明する。図５において、図１ないし図４で用いた記号と同じ記号は同様な名称の部材を示すものとする。この鼻当てパッド２は、ブリッジ５を受け入れることができるブリッジ用溝２５を有する。ブリッジ用溝２５はブリッジ５の幅とほぼ等しい幅を有すると共に、ブリッジ５の厚みと同じ深さを有しており、ブリッジ５は軽い力でブリッジ用溝２５内に嵌入されるのが好ましい。ブリッジ５は中央部に取付け用ネジ孔６を有する。
【００２９】
また、鼻当てパッド２における取付け部２１の中央部にも取付け用孔２４が設けられている。取付け用ネジ孔６と取付け用孔２４とが合致するようにブリッジ用溝２５にブリッジ５を入れて組み合わせ、ネジ７を取付け用孔２４を貫通して取付け用ネジ孔６に螺合させてブリッジ５に鼻当てパッド２を固定する。この固定構造を用いれば、鼻当てパッド２と眼鏡枠１とを別々に購入できるので、鼻当てパッド２と眼鏡枠１との組み合わせをいろいろ選べるメリットがある。
【００３０】
なお、これらの固定構造が適用される鼻当てパッド２の材質は、前述したように、鼻当てパッド２全体が形状記憶物質または熱可塑性物質から構成されていてもよく、または取付け部２１が金属材料あるいは硬質性合成樹脂から構成され、下側鼻当て部２２Ａと２２Ｂ、および上側鼻当て部２３Ａと２３Ｂが形状記憶物質または熱可塑性物質から構成されていても良い。この実施形態２の鼻当てパッドにおいても、下側鼻当て部２２Ａと２２Ｂ、および上側鼻当て部２３Ａと２３Ｂの高さ、傾斜面の方向、傾斜度、湾曲の度合いなどを３次元方向に変えることができるので、個々の利用者の顔面形状に最適に適合させることができる。したがって、激しい運動などを行っても、眼鏡を顔面により一層安定に保持でき、しかも装着感が向上される。
【００３１】
[実施形態２]
次に、本考案に係る実施形態２の鼻当てパッド２について図６により説明する。図６において、図１ないし図５で用いた記号と同じ記号は同じ名称の部材を示すものとする。実施形態２の鼻当てパッド２の基本構造は実施形態１の鼻当てパッドと同様であり、取付け部２１と、取付け部２１から上下方向に延びる下側鼻当て部２２Ａ、２２Ｂと左右一体型の弧状の上側鼻当て部２３Ｃとを備える。実施形態２の鼻当てパッド２では、取付け部２１と、下側鼻当て部２２Ａ、２２Ｂと、上側鼻当て部２３Ｃとは別々に造られ、左右の下側鼻当て部２２Ａ、２２Ｂと上側鼻当て部２３Ｃとは取付け部２１に接着剤などで固定されている。
【００３２】
実施形態２の鼻当てパッド２では、取付け部２１が軽量で機械的に堅牢な特性を有するエンジニアリングプラスチック材料のような合成樹脂材料、または軽量のチタニウムのような金属材料からなり、下側鼻当て部２２Ａ、２２Ｂと上側鼻当て部２３Ｃとは実施形態１と同様に、形状記憶樹脂および形状記憶合金のような形状記憶物質、または熱可塑性樹脂のような熱可塑性物質からなる。実施形態２では、下側鼻当て部２２Ａ、２２Ｂは実施形態１のものと同様な形状であるが、上側鼻当て部２３ＣはＹ字状になっていて、１本の脚部２３Ｄで取付け部２１に固定されている。
【００３３】
また、図７に示すように左右一体の上側鼻当て部２３Ｃが２本の脚部２３Ｅ、２３Ｆで取付け部２１に接着剤などによって固定されていてもよい。なお、この実施形態２でも取付け部２１と下側鼻当て部２２Ａ、２２Ｂと上側鼻当て部２３Ｃとは、脚部を含めてすべて形状記憶物質または熱可塑性物質により一体的に成型されていても勿論よい。
【００３４】
[実施形態３]
次に図８によって眼鏡枠の他の実施形態について説明する。図８において、図１ないし図７で用いた記号と同じ記号は同じ名称の部材を示すものとする。実施形態３の特徴は、従来の一般的な構造の眼鏡、つまり従来の鼻当てパッド２Ａを有する眼鏡枠に選択的に上側鼻当てパッド２６のみを取り付けることができる点にある。上側鼻当てパッド２６は、実施形態１または実施形態２で説明した鼻当てパッド２において実施形態１、２の下側鼻当て部２２Ａ、２２Ｂが存在せず、取付け部２１と上側鼻当て部２３Ａ、２３Ｂとから構成されるものである。
【００３５】
取付け部２１および上側鼻当て部２３Ａ、２３Ｂの構造は、実施形態１または実施形態２で説明した鼻当てパッド２の取付け部２１と上側鼻当て部２３Ａ、２３Ｂの構造と同じであり、取付け構造も似ているので、詳しくは説明しない。なお、実施形態１〜３では、下側鼻当て部２２Ａ、２２Ｂと上側鼻当て部２３Ａ、２３Ｂとをしゃもじ形の形状として説明したが、しゃもじ形の形状に限ることはなく、予め顔面にフィットし易い適当な形状に造っておき、塑性変形する温度以上の温度で顔面に押し当ててフィットする形状に変更させても勿論よい。
【００３６】
ブリッジ５は取付け用ネジ孔６を有していることが好ましいが、既存の眼鏡枠のブリッジ５に取付け部２１を取り付ける場合には、上側鼻当てパッド２６の取付け部２１は形状記憶物質または熱可塑性物質からなると共に、図８に示すブリッジ用溝２５を備える。ブリッジ用溝２５は図５で示した溝と同様な形状であるが、ブリッジ５の幅よりも若干小さな幅（図面の上下方向）を持ち、ブリッジ５の厚みと同じ深さ(図面の表裏方向)を有する。前述のように、上側鼻当てパッド２６を暖めて軟化させた状態でブリッジ５をブリッジ用溝２５に押し込み、その状態で上側鼻当てパッド２６を常温まで冷却することにより、上側鼻当てパッド２６をブリッジ５に安定に取り付けることができる。
【００３７】
この他にも、図示しないが、ブリッジ用溝２５に代えて、一対の弾性状突起を２組以上同一ライン状に設け、２組以上の一対の弾性状突起でブリッジ５を両側から挟むことにより、ブリッジ５に上側鼻当てパッド２６を安定に取り付ける構造などであっても良い。実施形態３にあっても、上側鼻当てパッド２６のブリッジ５への取付け構造を特に制約する必要は無い。
【００３８】
また、既存の眼鏡枠にはブリッジが２本のものもあるが、本考案に係る鼻当てパッド２および上側鼻当てパッド２６はブリッジが２本のものについても適用することができる。この場合には、２本のブリッジのいずれかに前述のようにして取り付けても良いし、あるいは２本のブリッジに跨って取り付けてもよい。取り付け方は、図示しないが、ネジ止め、あるいは鼻当てパッド２または上側鼻当てパッド２６に設けたブリッジ用溝でブリッジを挟み込む構造、または鼻当てパッド２または上側鼻当てパッド２６に設けた突起または金具によってブリッジを挟み込む構造など任意である。
【００３９】
また、従来構造の眼鏡枠において、レンズ枠に固定されたリムのような取付け部材によって取り付けられている従来構造の鼻当てパッドに代えて本考案に係る鼻当てパッド２を予め取り付けてあっても勿論良い。この場合には、取付け部２１が従来と同様にリムのような取付け金具によって間接的にレンズ枠に取り付けられるが、前記取付け金具が既存の眼鏡枠よりもブリッジ側に位置、つまり上方に位置するのが好ましい。または、前述したように取付け部２１が直接ブリッジに固定されていてもよい。
【図面の簡単な説明】
【００４０】
【図１】本考案に係る実施形態１の鼻当てパッド、およびこの鼻当てパッドの眼鏡枠への取付けを説明するための図である。
【図２】本考案に係る実施形態１の鼻当てパッドと顔面との関係を説明するための図である。
【図３】本考案に係る実施形態１の鼻当てパッドの変形例を説明するための図である。
【図４】本考案に係る実施形態１の鼻当てパッドの変形例を説明するための図である。
【図５】本考案に係る鼻当てパッドを眼鏡枠のブリッジに固定する構造の一例を示す図である。
【図６】本考案に係る実施形態２の鼻当てパッドを示す図である。
【図７】本考案に係る実施形態２の鼻当てパッドの変形例を示す図である。
【図８】本考案に係る実施形態３の上側鼻当てパッド、および上側鼻当てパッドの眼鏡枠への取付けを説明するための図である。
【符号の説明】
【００４１】
１・・・眼鏡枠
２・・・鼻当てパッド
３、４・・・左右のレンズ枠
５・・・ブリッジ
６・・・取付け用ネジ孔
７・・・ネジ
２１・・・鼻当てパッド２の取付け部
２２Ａ、２２Ｂ・・・下側鼻当て部
２３Ａ、２３Ｂ・・・上側鼻当て部
２３Ｃ・・・左右一体型の上側鼻当て部
２３Ｄ〜２３Ｆ・・・左右一体型の上側鼻当て部の脚部
２４・・・取付け用孔
２５・・・ブリッジ用溝
２６・・・上側鼻当てパッド
【図１】
0003116469.tif 000003
【図２】
0003116469.tif 000004
【図３】
0003116469.tif 000005
【図４】
0003116469.tif 000006
【図５】
0003116469.tif 000007
【図６】
0003116469.tif 000008
【図７】
0003116469.tif 000009
【図８】
0003116469.tif 000010